【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
第１記憶手段と第２記憶手段とへの電力を供給する第１状態と、前記第１記憶手段への電力供給を制限する第２状態とを有し、ネットワークを介して外部装置と通信可能な情報処理装置であって、
前記第１記憶手段に記憶されているデータのうち特定のデータを前記第１記憶手段と前記第２記憶手段とに記憶するよう制御する記憶制御手段と、
前記外部装置からデータの取得要求を受け付ける受付手段と、
前記第１状態において前記受付手段が前記外部装置からデータの要求を受け付けた場合、要求されたデータが前記特定のデータであるか否かによらず要求されたデータを前記第１記憶手段から読み出す第１読み出し手段と、
前記第２状態において前記受付手段が前記外部装置からデータの要求を受け付け、要求されたデータが前記特定のデータである場合には、前記情報処理装置の状態を前記第２状態から前記第１状態に変更することなく前記第２記憶手段からデータを読み出す第２読み出し手段と、
前記第１読み出し手段が読み出したデータ、或いは前記第２読み出し手段が読み出したデータを前記外部装置へ送信する送信手段と、を備えることを特徴とする情報処理装置。
【請求項２】
前記特定のデータは、前記第１記憶手段に記憶されているファイルの一覧を示す情報であることを特徴とする、請求項１に記載の情報処理装置。
【請求項３】
前記第１記憶手段に記憶されている前記ファイルの一覧を示す情報が更新された場合、前記記憶制御手段は前記第２記憶手段に記憶されている前記ファイルの一覧を示す情報を更新することを特徴とする、請求項２に記載の情報処理装置。
【請求項４】
第１記憶手段と第２記憶手段への電力を供給する第１状態と、前記第１記憶手段への電力供給を制限する第２状態とを有し、ネットワークを介して外部装置と通信可能な情報処理装置であって、
前記情報処理装置が前記第１状態である場合に、前記クライアントから送信されたデータを前記第１記憶手段へ書き込む第１書き込み手段と、
前記情報処理装置が前記第２状態である場合に、前記クライアントから送信されたデータを前記第２記憶手段へ書き込む第２書き込み手段と、を備えることを特徴とする情報処理装置。
【請求項５】
ネットワークを介して外部装置と通信可能な情報処理装置であって、
前記外部装置へデータを送信する場合に、前記外部装置の状態を取得する取得手段と、
前記取得手段が取得した前記外部装置の状態が前記外部装置が備える第１記憶手段に電力が供給されている状態であることを示す場合、或いは、前記外部装置が備える前記第１記憶手段には電力が供給されていないが前記外部装置が備える第２記憶手段には電力が供給されており、且つ、前記第２記憶手段が前記データを記憶する空き容量を有していることを示す場合、前記データを前記外部装置へ送信する送信手段と、を備えることを特徴とする情報処理装置。
【請求項６】
前記取得手段が取得した前記外部装置の状態が、前記外部装置が備える前記第１記憶手段には電力が供給されていないが前記外部装置が備える第２記憶手段には電力が供給されており、且つ、前記第２記憶手段が前記データを記憶する空き容量を有していないことを示す場合、前記第１記憶手段に電力を供給される状態となるように前記外部装置に要求する要求手段と、を備えることを特徴とする請求項５に記載の情報処理装置。
【請求項７】
ネットワークを介して外部装置と通信可能であり、第１記憶手段と第２記憶手段とへの電力を供給する第１状態と、前記第１記憶手段への電力供給を制限する第２状態とを有する情報処理装置の制御方法であって、
前記第１記憶手段に記憶されているデータのうち特定のデータを前記第１記憶手段と前記第２記憶手段とに記憶するよう制御する記憶制御ステップと、
前記外部装置からデータの取得要求を受け付ける受付ステップと、
前記第１状態において前記受付ステップで前記外部装置からデータの要求を受け付けた場合、要求されたデータが前記特定のデータであるか否かによらず要求されたデータを前記第１記憶手段から読み出す第１読み出しステップと、
前記第２状態において前記受付ステップで前記外部装置からデータの要求を受け付け、要求されたデータが前記特定のデータである場合には、前記情報処理装置の状態を前記第２状態から前記第１状態に変更することなく前記第２記憶手段からデータを読み出す第２読み出しステップと、
前記第１読み出しステップで読み出したデータ、或いは前記第２読み出しステップで読み出したデータを前記外部装置へ送信する送信ステップと、を有することを特徴とする情報処理装置の制御方法。
【請求項８】
ネットワークを介して外部装置と通信可能であり、第１記憶手段と第２記憶手段への電力を供給する第１状態と、前記第１記憶手段への電力供給を制限する第２状態とを有する情報処理装置の制御方法であって、
前記情報処理装置が前記第１状態である場合に、前記クライアントから送信されたデータを前記第１記憶手段へ書き込む第１書き込みステップと、
前記情報処理装置が第２状態である場合に、前記クライアントから送信されたデータを前記第２記憶手段へ書き込む第２書き込みステップと、を有することを特徴とする情報処理装置の制御方法。
【請求項９】
ネットワークを介して外部装置と通信可能な情報処理装置の制御方法であって、
前記外部装置へデータを送信する場合に、前記外部装置の状態を取得する取得ステップと、
前記取得ステップで取得した前記外部装置の状態が前記外部装置が備える第１記憶手段に電力が供給されている状態であることを示す場合、或いは、前記外部装置が備える前記第１記憶手段には電力が供給されていないが前記外部装置が備える第２記憶手段には電力が供給されており、且つ、前記第２記憶手段が前記データを記憶する空き容量を有していることを示す場合、前記データを前記サーバ装置へ送信する送信ステップと、を有することを特徴とする情報処理装置の制御方法。
【手続補正２】
【補正対象書類名】明細書
【補正対象項目名】０００７
【補正方法】変更
【補正の内容】
【０００７】
上記目的を達成するために、本発明の情報処理装置は、第１記憶手段と第２記憶手段とへの電力を供給する第１状態と、前記第１記憶手段への電力供給を制限する第２状態とを有し、ネットワークを介して外部装置と通信可能な情報処理装置であって、前記第１記憶手段に記憶されているデータのうち特定のデータを前記第１記憶手段と前記第２記憶手段とに記憶するよう制御する記憶制御手段と、前記外部装置からデータの取得要求を受け付ける受付手段と、前記第１状態において前記受付手段が前記外部装置からデータの要求を受け付けた場合、要求されたデータが前記特定のデータであるか否かによらず要求されたデータを前記第１記憶手段から読み出す第１読み出し手段と、前記第２状態において前記受付手段が前記外部装置からデータの要求を受け付け、要求されたデータが前記特定のデータである場合には、前記情報処理装置の状態を前記第２状態から前記第１状態に変更することなく前記第２記憶手段からデータを読み出す第２読み出し手段と、前記第１読み出し手段が読み出したデータ、或いは前記第２読み出し手段が読み出したデータを前記外部装置へ送信する送信手段と、を備えることを特徴とする。
【手続補正３】
【補正対象書類名】明細書
【補正対象項目名】０００８
【補正方法】変更
【補正の内容】
【０００８】
また、本発明の情報処理装置は、ネットワークを介して外部装置と通信可能な情報処理装置であって、前記外部装置へデータを送信する場合に、前記外部装置の状態を取得する取得手段と、前記取得手段が取得した前記外部装置の状態が前記外部装置が備える第１記憶手段に電力が供給されている状態であることを示す場合、或いは、前記外部装置が備える前記第１記憶手段には電力が供給されていないが前記外部装置が備える第２記憶手段には電力が供給されており、且つ、前記第２記憶手段が前記データを記憶する空き容量を有していることを示す場合、前記データを前記外部装置へ送信する送信手段と、を備えることを特徴とする。
【手続補正４】
【補正対象書類名】明細書
【補正対象項目名】０００９
【補正方法】変更
【補正の内容】
【０００９】
また、本発明の情報処理装置の制御方法は、ネットワークを介して外部装置と通信可能であり、第１記憶手段と第２記憶手段とへの電力を供給する第１状態と、前記第１記憶手段への電力供給を制限する第２状態とを有する情報処理装置の制御方法であって、前記第１記憶手段に記憶されているデータのうち特定のデータを前記第１記憶手段と前記第２記憶手段とに記憶するよう制御する記憶制御ステップと、前記外部装置からデータの取得要求を受け付ける受付ステップと、前記第１状態において前記受付ステップで前記外部装置からデータの要求を受け付けた場合、要求されたデータが前記特定のデータであるか否かによらず要求されたデータを前記第１記憶手段から読み出す第１読み出しステップと、前記第２状態において前記受付ステップで前記外部装置からデータの要求を受け付け、要求されたデータが前記特定のデータである場合には、前記情報処理装置の状態を前記第２状態から前記第１状態に変更することなく前記第２記憶手段からデータを読み出す第２読み出しステップと、前記第１読み出しステップで読み出したデータ、或いは前記第２読み出しステップで読み出したデータを前記外部装置へ送信する送信ステップと、を有することを特徴とする。
【手続補正５】
【補正対象書類名】図面
【補正対象項目名】図１
【補正方法】変更
【補正の内容】
【図１】
2009294764.tif 000001